(57)【特許請求の範囲】
【請求項１】
第１および第２の光コネクタを接続する光コネクタアダプタと、
該光コネクタアダプタを挟着保持する案内部材と、
該第１の光コネクタを着脱可能に保持する保持部材とを備え、
該保持部材は突起を有し、
該案内部材は該突起を収容し案内する鉤状部を有する案内溝とを有し、
該案内溝は該保持部材が該第１の光コネクタと該光コネクタアダプタに固定され該第２の光コネクタが接続状態となる位置から離間し該第２の光コネクタと非接続状態となる位置まで移動し得る構造であるとともに該保持部材が該非接続状態の位置で鉤状となり該保持部材が該案内部材から離間する方向へ移動し得る構造である事を特徴とする光コネクタの接続構造。
【請求項２】
請求項１記載の光コネクタの接続構造において、
該保持部材を該非接続状態となる位置に設けられた該鉤状の部分で該案内部材の底面から離間する方向へ移動させるためのバネを該案内部材と該保持部材の間に介在させた事を特徴とする光コネクタの接続構造。
【発明の詳細な説明】
【０００１】
【発明の属する技術分野】
本発明は、光信号を伝送する光ファイバを光接続するための光コネクタの接続構造に関し、複数の光コネクタアダプタを密接状態に並列配置させた状態でも光コネクタの接続ならびに取り外しが容易に行なえるようにすることにあり、さらには、人体に対するレーザハザードを避けるに好適な構造に関する。
【０００２】
近年、急激なインターネットなどを利用した通信システムにおける基幹系の通信システムにはＷＤＭ（波長分割多重）装置とすることにより伝送容量を大容量化し通信が確保されるようになってきている。一方で、伝送される光信号の多重化も増大化している。このようなことから光信号の送信出力も増加しており、インターフェイス部の光コネクタ接続本数も増加し光コネクタの高密度な搭載実装が必要不可欠になってきている。また、光信号送出の高出力化により人体に影響をおよぼす可能性を避けるための対策が必要でもある。
【０００３】
光信号の伝送線路であるところの光ファイバは、伝送系の要所で着脱可能に接続させるように構成されるが、このような接続個所には光コネクタが用いられる。光コネクタには種々の構造のものが公知でもあり、必要とする箇所に最適なものが選択適用される。
【０００４】
図１８に示される光コネクタは、このようなものの一種であり、ＳＣ型光コネクタとして標準化されており、ワンタッチ式に着脱可能なものである。図の右側が光ファイバコード１であり、柔軟なゴム質の円錐状の保護カバー２に覆われた光コネクタ３内に導入接続されるようになっている。
【０００５】
光コネクタ３の周囲は合成樹脂成型品でなる断面が方形な外部ハウジング４で囲まれており、外面には、右側の周囲四面に手指による着脱操作を容易とするための凹溝条と凸条とによる凹凸条５が周囲方向に向けて刻まれている。端面６から隔たり凹凸条５が形成される細幅な括れ部分にはテーパ状の斜面７、７が両側に形成されている。
【０００６】
中央部分には挿入確認用のマーク８が印されており、その左側の上側にはキー９が突設されている。図示左側に突出している部分は中心に光ファイバ芯線を支持するフェルール１１である。
【０００７】
図１９は、光コネクタ３を図（ａ）に正面図、図（ｂ）に要部を部分断面した平面図、に示してある。外部ハウジング４の図示左側には端部に開口する凹部１２と係止突起１３とが両側面に形成されている。
【０００８】
内部には、合成樹脂成型になる内部ハウジング１４が嵌められており、図示左端に開口する円形の凹穴１５の中央内部からフェルール１１が突設される。このフェルール１１はジルコニアなどの硬質にして滑らかな表面を有するセラミックスでなり、中心には光ファイバコード１からの光ファイバ芯線１６が接着固定されて覗かされており、端面は平滑に研磨仕上げされている。また、フェルール１１は内部のばねによって突出方向へ弾性付勢されている。
【０００９】
一対の光コネクタ３、３を対向状態にして接続させるための光コネクタ接続用のアダプタ、本発明では略して光コネクタアダプタと称することとする。図２０は、光コネクタアダプタ２１を図（ａ）の平面視断面図と、図（ｂ）に側面図に示す。正面視方形で同一構成の合成樹脂成型品または軽合金製でなる一対のハウジング２２の基部にそれぞれフランジ２３が形成されており、このフランジ２３部分は図示省略の手段によって一対の両側のフランジ２３を一体的に結合させている。
【００１０】
ハウジング２２の一方の平面には端部に開口するキー溝（二点鎖線に示される）２４が形成されており、他方の平面にはコの字型の板ばねを横断させる凹溝２５が形成されている。両側面には板ばねのコの字型の対向する両面をはめ込ませ位置決めさせる方形の凹面２６、２６が形成されている。
【００１１】
一対のハウジング２２の一方にコの字型の板ばね２７が嵌め込み取り付けられている。板ばね２７は、正面視コの字型に形成されており、対向する両面は方形の面板２８であってハウジング２２の方形の凹面２６に嵌まり込んでハウジングの側面から突出しないように位置決めされる。面板２８を連結する帯状部２９がハウジング２２の凹溝２５に嵌まり込み、同様にハウジングの面から突出しないようになっている。
【００１２】
板ばね２７の方形の面板２８の中央部分の面が平面視傾斜するようにコの字形の切り溝が形成されて曲げ起こされており、その先端部３１はフランジ２３と所定間隔を設けて対向するように形成されることにより、傾斜面が板ばねとして機能するように構成されている。すなわち、先端部３１は方形の凹面２６に接触するように変形されても解放されることにより弾性によって図示状態位置に復元される。
【００１３】
一対のハウジング２２の内部には、両端に開口した光コネクタ３の外部ハウジング４を受け入れるよう上下に平行なガイド面３３が形成され、その中央部分には背中合わせとした一対のホルダ３４がハウジング２２によって挟着保持されている。このホルダ３４は合成樹脂成型品でなり、中央の円筒部３５の両端に対の係止片３６が平行状態に設けられている。係止片３６の先端には鉤状の係止爪３７が対向しており、係止片３６そのものは板ばね状で弾性を有しており先端側の対向間が遠近するように彎曲変形し得る。
【００１４】
円筒部３５の外径は、光コネクタ３の内部ハウジング１４の凹穴１５を嵌め合わせるに適合しており、円筒部３５の内部には円筒ばね３８が嵌め込まれて支持されている。円筒ばね３８の内径はフェルール１１の外径よりもわずかに小径であるが、長さ方向へのスリット３９が形成されていることにより、フェルール１１を挿入させることで内径が適合するよう、そのばね弾性に抗して拡張し押し込ませることができる。すなわち、フェルール１１を挿抜可能にして圧入状態に保持し、光コネクタ３を光コネクタアダプタ２１内に挿入し得る。
【００１５】
光コネクタ３の挿入状態が、図２１の要部断面の平面図に示される。この状態においては、挿入の過程で光コネクタアダプタ２１内の対向する係止片３６が光コネクタ３の両側の凹部１２に沿って入り込むとともに、先端の係止爪３７が係止片３６の弾性変形によって係止突起１３を乗り越えて係止突起１３の背面に嵌まり込み、光コネクタ３の抜け出ることを阻止するように係止状態となる。それとともに、マーク８が光コネクタアダプタ２１のハウジング２２の内面に入り込んだ位置となって見えなくなり、挿入されたことを確認し得る。
【００１６】
このように挿入することは、光コネクタ３のキー９を光コネクタアダプタ２１のキー溝２４の方向と一致させることにより行なえ、反対面としたのでは挿入することができないように設定されている。
【００１７】
また、挿入状態においては、フェルール１１の先端面は光コネクタアダプタ２１の中央部分よりも、適宜わずかに越えた部分に一致されるようにも設定されている。
【００１８】
この光コネクタ３が挿入された光コネクタアダプタ２１の他方側に、光コネクタ３と光接続させるべき他の光コネクタ３を挿入接続させるには、上記した手順と同様にして他の光コネクタ３を挿入させることができる。このようにして光コネクタ３、３どうしの対向接続状態の平面視断面図が図２２に示され、同様の外観図が図２３に示される。
【００１９】
光コネクタ３の挿入接続過程の説明は、同様であることは容易に理解されようことから、ここでの説明は省略することとする。図２２の状態に接続されると、両フェルール１１、１１は光コネクタアダプタ２１の中央部分で双方の光コネクタ３内部からの弾性付勢力によって押圧状態となり、光ファイバ芯線１６どうしが密に接触されて光信号の伝送損失がほとんどない状態に接続される。
【００２０】
また、両フェルール１１、１１は円筒ばね３８の弾性に抗して両側から押し込まれることから、それぞれが円筒ばね３８の復元力によって同一中心上に一致される結果、相互の半径方向の位置ずれも最低限度におさえられることからも、好適な接続状態が得られる。
【００２１】
接続状態から、必要に応じて光コネクタ３を光コネクタアダプタ２１から取り外すには、光コネクタアダプタ２１を一方の手によって支持し、光コネクタ３の外部ハウジング４の凹凸条５に他方の手をそえ、ある程度以上の力で軸方向へ引っ張ることにより、係止爪３７が図示しない解除手段によって両側へ強制的に拡げられ係止状態が解除されるから、そのまま引き出すことにより行なえる。このようなことは、双方の光コネクタ３、３について同様である。
【００２２】
以上のようにして光コネクタ３、３の接続ならびに取り外しは、ワンタッチ式に容易に行なうことができる。
【００２３】
【従来の技術】
以上のような光コネクタアダプタ２１による一対の光コネクタ３、３の接続構造を、光装置などに適用した場合について図２５ならびに図２６を参照して説明するが、それにさきだって、光コネクタアダプタ２１を取り付けることについて図２４を参照すると、図（ａ）の平面図に示されるように、筐体を構成する板４１に光コネクタアダプタ２１のハウジング２２の本体部分の周囲が丁度嵌まり合う大きさの方形の孔４２を設ける。この方形の孔４２はフランジ２３が通過しない大きさであり、その対向辺に図（ｂ）の側断面図に示されるように折り曲げられた対の段差部分４３を形成させる。
【００２４】
理由は、ハウジング２２が方形の孔４２に嵌め込まれて板４１の表面にフランジ２３が接触して位置決めされる過程で、板ばね２７が弾性変形して方形の孔４２を通過し板４１の裏面側で弾性復元することにより、その先端部３１が板４１の裏面と対向するようになって抜け止め作用をするのであるが、板４１の厚さよりも先端部３１の対向位置との間に間隔が生じてがたつくことから、図（ｃ）の断面図によく示されているように先端部３１が段差部分４３の裏面に接触して軸方向にがたつくことなく安定した位置決めがなされるようにするためである。これによって、単に挿入するのみで確実な取り付け状態が得られる。
【００２５】
図２５の、図（ａ）の側面図、図（ｂ）の正面図に示される光装置を内蔵するモジュール筐体４５の正面に突出された、光コネクタアダプタを取り付ける取り付け面４６に、単一の光コネクタアダプタ２１と二連型の光コネクタアダプタ４７とを上述したようにして挿入し取り付けるのであるが、既述したように光コネクタ３の挿入ならびに取り外し操作のために、周囲に適当な間隔を設けることが必要なことである。
【００２６】
また、図２６に示されるように光装置のプリント配線板５１の部品実装面に、図（ｂ）の平面図に示されるようなコの字型に折り曲げられた取り付け金具板５２を取り付け、図（ａ）の側面図に示されるように、取り付け金具板５２にやはり適宜間隔を設けて光コネクタアダプタ２１を並列状態に挿入させて取り付けることにより、光コネクタアダプタ２１の両側に光コネクタ３、３を挿入させて光接続させるようにしている。なお、図２６において、符号の５３は正面板であり、５４は装置筐体に挿入させてプラグイン接続のための電気回路接続用のコネクタである。
【００２７】
【発明が解決しようとする課題】
上記、従来の光コネクタの接続構造によって光コネクタ３の挿抜を、特別な挿抜用工具を使用せずに直接人手による操作で挿抜を行なうには、光コネクタ３の周囲に手指を入り込ませることが可能なスペースが必要であり、既述したように光ファイバの大幅な本数を取り扱う今後の光装置にあっては、このような接続構造では数量が制限されるか、装置の大型化になることから不都合なことである。また、光コネクタ３を接続させない状態において、光コネクタアダプタ２１に装置側からの光信号が空間に放出され、これが人体への影響をおよぼすといった不具合もある。
【００２８】
このようなことにかんがみて、本発明は密接状態に光コネクタアダプタを配置実装した状態においても挿抜作業が容易に行なえること、さらには、光コネクタの非接続状態において光信号が放射されない光コネクタの接続構造の提供を発明の課題とすることにある。
【００２９】
【課題を解決するための手段】
上記、課題を解決するための本発明の構成要旨とするところの第１の手段は、光コネクタアダプタを挟着保持する案内部材と、光コネクタを着脱可能に保持する保持部材と、からなり、保持部材は案内部材に嵌まり合って案内部材に挟着保持された光コネクタアダプタに対して保持部材に保持された光コネクタを接近させて接続状態ならびに離間させて非接続状態位置に移動し得るよう構成させた光コネクタの接続構造である。
【００３０】
この第１の手段によると、保持部材に保持された状態で光コネクタを光コネクタアダプタに対して離間移動させ、隣接する他の光コネクタの存在しない空間位置において光コネクタの着脱を容易に行なうことができる。
【００３１】
本発明の第２の手段は、光コネクタアダプタを挟着保持する案内部材と、光コネクタを着脱可能に保持する保持部材と、からなる保持部材の両側面に軸状の突起が突出形成され、案内部材の両側壁に保持部材の突起を収容し案内させる案内溝が形成されてなり、保持部材は案内部材に嵌まり合うことにより突起が案内溝に収容されて案内部材に挟着保持された光コネクタアダプタに対して保持部材に保持された光コネクタを接近させて接続状態ならびに離間させて非接続状態位置となるように案内溝の長さ範囲を移動し得るよう構成させた光コネクタの接続構造である。
【００３２】
この第２の手段によると、保持部材に保持された状態で光コネクタを光コネクタアダプタに対して案内溝の長さ範囲離間移動させ、隣接する他の光コネクタの存在しない空間位置において光コネクタの着脱を容易に行なうことができる。
【００３３】
本発明の第３の手段は、光コネクタアダプタを挟着保持する案内部材と、光コネクタを着脱可能に保持する保持部材と、からなる保持部材の両側面に軸状の突起が突出形成され、案内部材の両側壁に保持部材の突起を収容し案内させる鉤状の案内溝が形成されてなり、保持部材は案内部材に嵌まり合うことにより突起が案内溝に収容されて案内部材に挟着保持された光コネクタアダプタに対して保持部材に保持された光コネクタを接近させて接続状態ならびに離間させて非接続状態位置となるように案内溝の長さ範囲を移動し得るとともに離間位置において案内溝の鉤状部分で保持部材が案内部材の底面から離間する方向へ移動し得るよう構成させた光コネクタの接続構造である。
【００３４】
この第３の手段によると、保持部材に保持された状態で光コネクタを光コネクタアダプタに対して案内溝の長さ範囲離間移動させ、さらに鉤状部分で保持部材が案内部材の底面から離間する方向へ移動し得ることから、隣接する他の光コネクタの存在しない空間位置において光コネクタの着脱を容易に行なうことが可能であるのみならず、保持部材が光コネクタアダプタに保持されている光コネクタの光軸上の空間を覆うように位置することから光信号の出射光を遮蔽するようにもなる。
【００３５】
本発明の第４の手段は、光コネクタアダプタを挟着保持する案内部材と、光コネクタを着脱可能に保持する保持部材と、からなる保持部材の両側面に軸状の突起が突出形成され、案内部材の両側壁に保持部材の突起を収容し案内させる鉤状の案内溝が形成されてなり、保持部材は案内部材に嵌まり合うことにより突起が案内溝に収容されて案内部材に挟着保持された光コネクタアダプタに対して保持部材に保持された光コネクタを接近させて接続状態ならびに離間させて非接続状態位置となるように案内溝の長さ範囲を移動し得るとともに離間位置において案内溝の鉤状部分で保持部材が案内部材の底面から離間する方向へ移動し得るよう案内部材と保持部材の背面との間にばね部材を介在させた構成とした光コネクタの接続構造である。
【００３６】
この第４の手段によると、保持部材に保持された状態で光コネクタを光コネクタアダプタに対して案内溝の長さ範囲離間移動させ、さらに鉤状部分で保持部材が案内部材の底面から離間する方向へばね部材の付勢力によって移動されることから、隣接する他の光コネクタの存在しない空間位置において光コネクタの着脱を容易に行なうことが可能であるのみならず、保持部材および、またはばね部材が光コネクタアダプタに保持されている光コネクタの光軸上の空間を覆うように位置することから光信号の出射光を遮蔽するようにもなる。
【００３７】
【発明の実施の形態】
以下、本発明光コネクタの接続構造について、構成要旨にもとづいた好適な実施の形態につき、図を参照しながら具体的詳細に説明する。なお、全図を通じて同様箇所には理解を容易とするために便宜上、同一符号を付して示すものとする。
【００３８】
図１は、案内部材５５の三面図であって、図（ａ）に正面図、図（ｂ）に図（ａ）の右側からみた側断面図、図（ｃ）に図（ａ）の平面図、としてそれぞれ示す。
【００３９】
図において、平面視コの字状をなす溝形の両側壁５６、５６には図示上下方向に向けてコの字状の底面５７に沿って案内溝５８が形成されており、その上端部で正面方向に向けて鉤状の案内溝５９が連続して形成されている。この側壁５６の内面側には対向して方形の突出面６１も形成されており、図示下方には切り欠き段差６２も設けられている。
【００４０】
また、両側壁５６、５６内側の対向間隔は、図２０で説明の光コネクタアダプタ２１のハウジング２２の幅に等しく、方形の突出面６１の大きさはハウジング２２の両側の方形の凹面２６に嵌まり合い適合し得るように設定されている。
【００４１】
底面５７には、左右に段差６３と、中央部分に上下方向の凹溝６４と、凹溝６４の下端部に左右方向の凹溝６５をそなえた突起６６と、突起６６の上側に円形の突起６７と、が形成されており、この案内部材５５は適宜な弾性と機械的強度を有する合成樹脂成型品でなる。
【００４２】
図２は、保持部材７１の三面図であって、図（ａ）に正面図、図（ｂ）に図（ａ）の右側からみた側断面図、図（ｃ）に図（ａ）の平面図、としてそれぞれ示す。
【００４３】
図において、正面視方形をなす基板部７２は、側面視で下側が薄くなるように段差７３が形成されており、上側の上段部には正面方向へ突出するよう上端部に第１の保持部７４が左右に対向して対に構成されており、その図示下方には第２の保持部７５がやはり正面方向へ突出するよう左右に対向して対に構成されている。
【００４４】
第１の保持部７４の対向面には図（ａ）に示されるように上下方向の中間部分が左右方向に拡げられており、その上端部に鉤状の段差７６と下端部にテーパ状の傾斜面７７とが、それぞれ対称形に形成されている。
【００４５】
この第１の保持部７４の鉤状の段差７６とテーパ状の傾斜面７７とで形成される空間は、図１８で説明の光コネクタ３の外部ハウジング４の端面６と斜面７、７との形状に一致するように設定されていることから、正面側から光コネクタ３の該当部分を挿入させることにより、光コネクタ３を軸方向および紙面と平行な面方向へ移動しないように保持することが可能である。
【００４６】
第２の保持部７５の対向面は、図（ａ）の矢視Ａ−Ａの断面図が図３の図（ａ）に示されるように、方形の空間を形成するよう段差７８が対称形に設けられており、その先端部分はテーパ状に拡がる傾斜面７９に形成されている。また、両外側の面は中間部分が薄くなるような曲面８１に形成されている。
【００４７】
以上のような構成であるから図３の図（ｂ）に示されるように第２の保持部７５の先端側が左右方向に彎曲して弾性変形し得る。二点鎖線に示されるような方形の空間は、図１８で説明の光コネクタ３の外部ハウジング４の外形と一致するように設定されており、図（ａ）のように弾性復元することで光コネクタ３を包囲し保持することができる。
【００４８】
上記のような構成と作用とにもとづいて、第１の保持部７４と第２の保持部７５とが協同して光コネクタ３を保持することから、光コネクタ３の外部ハウジング４は第１の保持部７４で囲まれることにより基板部７２に対して遠近し得る方向以外には移動されず、第２の保持部７５によって基板部７２の面に接した状態に保持されることにより、いずれの方向にも許容差以上に移動し得ない状態にしっかりと確実に保持される。しかしながら、第２の保持部７５を図３の図（ｂ）に示されるように、両側に開くことよって光コネクタ３を容易に取り出しあるいは取り付けることはできる。
【００４９】
図２の基板部７２の正面視左右側面には軸状の突起８２が突設されており、基板部７２の左右方向の幅は案内部材５５の両側壁５６、５６の対向間隔幅に一致するように設定されているので、案内部材５５の両側壁５６、５６を、底面５７に対して先端側を拡げるように弾性変形させることによって、保持部材７１をその間に挿入させることが可能である。その際、軸状の突起８２を鉤状の案内溝５９を介して案内溝５８内に収容させることができ、両側壁５６、５６を弾性復元させることによって保持部材７１は案内部材５５の内部を案内溝５８の長さ範囲自在に移動可能である。なお、保持部材７１についても適宜な弾性と機械的強度を有する合成樹脂成型品でなる。
【００５０】
図４は、上述の案内部材５５に光コネクタアダプタ２１を嵌め込み組み合わせた状態が、図（ａ）に正面図、図（ｂ）に側断面図、に示されている。すなわち、案内部材５５の両側壁５６、５６の対向間を外側へ弾性変形させて拡げることにより、その間に光コネクタアダプタ２１のハウジング２２部分を挿入させ両側壁５６を弾性復元させる。
【００５１】
この挿入段階で、光コネクタアダプタ２１の板ばね２７を図示下方にし、方形の凹面２６を挿入させ、この方形の凹面２６と案内部材５５の方形の突出面６１とを一致させることが肝要である。そのようにすることで方形の凹面２６に方形の突出面６１が嵌まり合って位置決めされ、案内部材５５の弾性力で確実に挟持される。フランジ２３は切り欠き段差６２の面と接するように位置し、これによっても位置決めされる。また、光コネクタアダプタ２１のキー溝２４の部分を正面側に見えるような方向とすることが肝要である。
【００５２】
図４は、案内部材５５に光コネクタアダプタ２１を組み合わせ取り付けることを説明したのであるが、実際には後述するような手順の段階にしたがって、取り付けるものである。
【００５３】
図５は、同じく上述したようにして保持部材７１に光コネクタ３を嵌め込み組み合わせた状態が、図（ａ）に正面図、図（ｂ）に側断面図、に示されている。すなわち、第１の保持部７４の鉤状の段差７６に外部ハウジング４の端面６と、斜面７にテーパ状の傾斜面７７と、をそれぞれ一致させ、第２の保持部７５の傾斜面７９に光コネクタ３の外部ハウジング４の側面を合わせ、第２の保持部７５の先端部分を図３の図（ｂ）で説明のようにして拡げることにより外部ハウジング４全体をそれぞれの対向間に挿入させることができるから、外部ハウジング４が基板部７２に達したことで第２の保持部７５を弾性復元させることにより段差７８によって保持されるから、光コネクタ３は保持部材７１に対していずれの方向へも傾いたり移動することなく第２の保持部７５の弾性力で確実に保持される。この場合も、光コネクタ３のキー９が正面側に見えるような方向とすることが必要である。
【００５４】
図５は、保持部材７１に光コネクタ３を組み合わせ取り付けることについて説明したのであるが、同様に実際には後述するような手順の段階にしたがって、取り付けるものである。
【００５５】
図６は、ばね部材８５の正面図を図（ａ）に、その側面図を図（ｂ）に、示してある。このばね部材８５は、ばね用金属板、たとえば、ばね用ステンレス鋼板やばね用燐青銅板などからなる。正面視方形をなし、その図示下端部には切り欠き部８６と、その上方に円形の貫通孔８７と、をそなえ、上端部は正面視で左右方向が小径な弧状の彎曲部８８（図（ｂ）に示される）に形成されている。全体として側面視で図（ｂ）に実線で示される形状に正面方向へ向けて上端部側がばねの撓み曲線にしたがった彎曲線状に形成されている。また、上端を押圧し二点鎖線に示されるほぼ平坦な形状位置に弾性変形されても、押圧力を解除させることによって実線位置に弾性復元し得る。このばね部材８５の幅は案内部材５５の底面５７の凹溝６４の幅にほぼ等しく、凹溝６４内に嵌まり合える。
【００５６】
このばね部材８５の作用について、図７を参照して説明すると、図７では案内部材５５に保持部材７１が組み合わせられているが、保持部材７１を組み合わせる以前の状態で、案内部材５５の突起６６の左右方向の凹溝６５内に、切り欠き部８６を嵌めそわせながら円形の突起６７に貫通孔８７を嵌め合わせることにより、ばね部材８５を凹溝６４内に位置させることができる。これによってばね部材８５は凹溝６４に対して外れたり、いずれの方向へも移動することなく、単に図６の図（ｂ）に示される実線位置と二点鎖線に示される位置との間を弾性変形し得るのみとなる。
【００５７】
この状態とした後に、案内部材５５の両側壁５６の正面外を両外側に拡げるように弾性変形させ、保持部材７１をその間にはめ込ませることにより、保持部材７１の両側の軸状の突起８２を案内部材５５の両側の鉤状の案内溝５９にそれぞれ嵌め合わせることができ、案内部材５５を弾性復元させることにより突起は案内溝内に収容される。それにともなって、ばね部材８５の先端部は適宜弾性圧縮変形される。この状態が図７に示されている。
【００５８】
すなわち、図７の図（ａ）に示されるように、保持部材７１の基板部７２の面が案内部材５５の底面５７の段差６３の面に接する位置まで鉤状の案内溝５９内に軸状の突起８２を沿わせて移動させることにより、ばね部材８５は凹溝６４内にほぼ平坦な状態に圧縮変形され、保持部材７１は軸状の突起８２が案内溝５８に沿って図示上下方向に移動可能となる。
【００５９】
しかしながら、保持部材７１を挿入させた位置に自由状態とすることによって、図（ｂ）に示されるように軸状の突起８２を支点として、その下部の基板部７２の面に接するばね部材８５の弾性復元力によって押圧されて傾斜姿勢となり、保持部材７１の基板部７２の背面が案内部材５５の段差６３の上端部に接してその姿勢状態が位置決めされる。
【００６０】
図７の図（ａ）の状態において、軸状の突起８２を上下方向の案内溝５８に沿わせて図示下方向に移動させることにより、保持部材７１を案内部材５５の内部に沿って移動させることができ、軸状の突起８２が案内溝５８の下端部に達した状態が図８に三面図に示されている。図８の図（ａ）は正面図、図（ｂ）は図（ａ）の右側の側断面図、図（ｃ）は図（ａ）の平面図、である。
【００６１】
このように、軸状の突起８２が案内溝５８内に入り込むことにより、案内溝５８のいずれの位置においても、ばね部材８５の弾性復元力が図示状態に保持部材７１の背面に作用しているが、軸状の突起８２を支点として保持部材７１の基板部７２の下端部背面が案内部材５５の段差６３の面に接触している梃子の関係によって、保持部材７１は図示姿勢が維持される。当然のことであるが、軸状の突起８２が鉤状の案内溝５９の位置に移動されると、ばね部材８５の復元作用によって図７の図（ｂ）の状態位置に移動されることとなる。
【００６２】
図８に示される状態において、案内部材５５の両側壁５６の間隔を弾性に抗して拡げ、図４で説明のようにして光コネクタアダプタ２１を対向間に嵌め込ませ組み合わせて保持させる。保持部材７１は光コネクタアダプタ２１に接することなく移動可能であるから、軸状の突起８２を鉤状の案内溝５９の位置として、図７の図（ｂ）の状態にさせる。さらに、この光コネクタアダプタ２１の図示下方側に図２１で説明のように光コネクタ３を挿入させる。この状態が図９の側断面図に示される。このような姿勢に保持部材７１がなることは既述の説明で理解されているとおりである。
【００６３】
図９の状態において、保持部材７１に光コネクタ３を取り付け保持させるのであるが、これについても図５を参照しての説明のようにして、第１の保持部７４の間に挿入すること、ならびに第２の保持部７５を拡げてその間に挿入すること、によって図１０の側断面図に示される状態に組み合わせ保持させることが容易に行なえる。
【００６４】
図１０の状態から、図１１に示されるように保持部材７１の基板部７２の面が案内部材５５の段差６３の面に接する位置として、第１の保持部７４、第２の保持部７５に手指を添えて、軸状の突起８２を案内溝５８に沿わせて図示下方に移動させることにより、保持部材７１に保持された光コネクタ３は光コネクタアダプタ２１の図示上側のハウジング２２内に嵌まり込む。このようなことは、案内部材５５、保持部材７１、光コネクタアダプタ２１、光コネクタ３の位置関係がこのようなことが可能なように設定されていることによる。
【００６５】
なおも光コネクタアダプタ２１内に光コネクタ３を挿入させることにより、図２２を参照して説明のことと同じく光コネクタ３は光コネクタアダプタ２１に挿入接続される。すなわち、すでに光コネクタアダプタ２１の図示下方に挿入されている光コネクタ３と光接続可能に結合されることとなる。この状態が図１２に示される。
【００６６】
保持部材７１に保持されている光コネクタ３を取り出すには、逆の操作によって保持部材７１の第１の保持部７４、第２の保持部７５に手指を添えて図示上方に引き上げることにより、既述したとおりの作用によって取り外すことができ、図１０の姿勢に位置させることが可能であるから、必要に応じて光コネクタ３を取り外したり、ふたたび取り付け保持させる。または、測定用の光コネクタ３を取り付け接続させるなどの作業は容易に行なえる。
【００６７】
図１０の姿勢になることは、これら全体が光装置に取り付けられており、光コネクタアダプタ２１の図示下方側の光コネクタ３に光装置の動作にともなう光信号の送出光が伝送されている場合、光コネクタ３のフェルール１１からの光信号が光コネクタアダプタ２１の内部軸方向上側に向けて放射されるが、この放射光、たとえばレーザ信号光は光コネクタアダプタ２１の上部を覆うように位置している保持部材７１および、またはばね部材８５によってそれ以上の空間には到らないように遮蔽されることから、周囲の人体へ影響をおよぼすことがなく保護される。すなわち、レーザハザード防止機能をそなえる。
【００６８】
上記、光コネクタ３の光コネクタアダプタ２１への挿抜に際しての保持部材７１の移動に、直接保持部材７１に手指を添えて作業をするとしたが、手指の先端に集中する力作業を避けるために、図１３に示す移動用具９１を使用することが好ましい。
【００６９】
図１３は移動用具９１の三面図であって、図（ａ）に正面図、図（ｂ）に図（ａ）の右側面図、図（ｃ）に図（ａ）の平面図、をそれぞれ示す。移動用具９１は正面視方形をなし、その図示左右方向の幅は保持部材７１の基板部７２の幅に一致しており、案内部材５５の両側壁５６の対向内面間に挿入し上下方向へ移動可能でもある。
【００７０】
構成は、図（ｂ）の側面の図示右側に紙面と直交方向の横溝９２と、図（ｃ）の平面の図示上側の前方に紙面と直交方向の縦溝９３と、が設けられることにより、先端四隅に長方形の突起９４が形成されている。また、正面に図示上下方向の矢印９５と、側面視で図示上下の面に凹曲面９６とが設けられている。
【００７１】
横溝９２は保持部材７１の第１の保持部７４を嵌め込ませる高さ幅と長さとをそなえ、縦溝９３は光コネクタ３の外部ハウジング４を嵌め込ませる幅と長さとをそなえてなる。図から明らかなように、横溝９２の長さは縦溝９３の長さよりも長い。
【００７２】
この移動用具９１の使用方法について図１４の側面図を参照して説明すると、横溝９２に保持部材７１の第１の保持部７４を嵌め込ませるようにして挿入させる。これによって光コネクタ３の外部ハウジング４の部分が縦溝９３の間に挿入され、４つの突起９４の間に第１の保持部７４が図示状態に位置されるから、上下の凹曲面９６の部分に手指をあてがい、図示上下方向の矢印９５の方向に移動用具９１を移動させることにより、図１１の状態位置または図１２の状態位置に保持部材７１を光コネクタ３とともに、容易に移動させることができる。
【００７３】
このように、挿抜用具でもある移動用具９１を単に保持部材７１に挿入して取り付けることで可能であり、操作後は引き抜くことで取り外すことができる。この移動用具９１は合成樹脂または、軽量なアルミニウム合金などから製することができる。
【００７４】
以上のような本発明になる光コネクタアダプタ２１を介しての一対の光コネクタ３、３の接続構造を、光装置などに適用した場合について図１６ならびに図１７を参照して説明するが、それにさきだって、光コネクタアダプタ２１を取り付けることについて図１５を参照すると、図（ａ）の平面図に示されるように、筐体を構成する板１０１に光コネクタアダプタ２１のハウジング２２の本体部分の周囲が丁度嵌まり合う大きさの方形の孔１０２を複数並列に設ける。
【００７５】
この方形の孔１０２はフランジ２３が通過しない大きさであり、その並列方向の間隔は隣接するフランジ２３が接する程度に密に設定される。また、この板１０１の裏面側には方形の孔１０２の幅に一致する切り欠きが形成された櫛歯状の板１０３が点溶接などの手段によって接合され取り付けられている。
【００７６】
理由は、ハウジング２２が方形の孔１０２に嵌め込まれて板１０１の表面にフランジ２３が接触して位置決めされる過程で、板ばね２７が弾性変形して方形の孔１０２を通過し板１０１の裏面側で弾性復元することにより、その先端部３１が板１０１の裏面と対向するようになって抜け止め作用をするのであるが、板１０１の厚さよりも先端部３１の対向位置との間に間隔が生じてがたつくことから、図（ｃ）の断面図によく示されているように先端部３１が櫛歯状の板１０３の櫛歯部分１０４の裏面に接触して軸方向にがたつくことなく安定した位置決めがなされるように補うためである。これによって、単に挿入するのみで確実な取り付け状態が得られる。なお、図（ｃ）で、光コネクタアダプタ２１には案内部材５５、保持部材７１などが取り付けられるのであるが図示煩雑となることから都合でこれらを図示省略し、光コネクタアダプタ２１のみを図示してあることを理解されたい。
【００７７】
図１６の、図（ａ）の側面図、図（ｂ）の正面図に示される光装置を内蔵するモジュール筐体１０５の正面に突出された、取り付け面１０６に、図１１の状態の光コネクタアダプタ２１が３組並列状態に密接して取り付けられた状態が示されており、その中央部分の保持部材７１が図１０の状態位置において直立姿勢に示されている。
【００７８】
このように本発明になる光コネクタの接続構造によれば複数の光コネクタ３を最大限度密接状態に実装することが可能であるのみならず、移動用具９１を使用することにより、その挿入接続ならびに取り出し作業を容易に行なうことができるものである。
【００７９】
また、図１７に示されるように光装置のプリント配線板１１１の部品実装面に、図（ｂ）の平面図に示されるようなコの字型に折り曲げられた取り付け金具板１１２を取り付け、図（ａ）の側面図に示されるように、取り付け金具板１１２に図１１の状態の光コネクタアダプタ２１を複数密接状態並列して取り付けられており、そのうちの一箇所の保持部材７１が図１０の状態位置において直立姿勢に示されている。なお、図１７において、符号の１１３は正面板であり、１１４は装置筐体に挿入させてプラグイン接続のための電気回路接続用のコネクタである。
【００８０】
同様に、本発明になる光コネクタの接続構造によれば、各種の光装置に適用して複数の光コネクタ３を、従来のような周囲に適宜なスペースを設けることなく密接状態に実装することが可能であり、移動用具９１を使用することで挿入接続、取り出し作業を容易に行なうことができ、さらには光信号の空間への出射も防止されるなどの作用、効果を奏するものである。
【００８１】
以上のようであるが、本発明における光コネクタ３は便宜上ＳＣ型光コネクタと光コネクタアダプタとについて説明したものの、この光コネクタに限定されることなく、同様の機能をそなえた光コネクタに対して適用可能なことはいうまでもなく本発明に含まれるものである。
【００８２】
（付記１）  光コネクタアダプタを挟着保持する案内部材と、光コネクタを着脱可能に保持する保持部材と、からなり、
上記保持部材は案内部材に嵌まり合って案内部材に挟着保持された光コネクタアダプタに対して保持部材に保持された光コネクタを接近させて接続状態ならびに離間させて非接続状態位置に移動し得るよう構成させたことを特徴とする光コネクタの接続構造。
【００８３】
（付記２）  光コネクタアダプタを挟着保持する案内部材と、光コネクタを着脱可能に保持する保持部材と、からなる保持部材の両側面に軸状の突起が突出形成され、案内部材の両側壁に保持部材の突起を収容し案内させる案内溝が形成されてなり、
上記保持部材は案内部材に嵌まり合うことにより突起が案内溝に収容されて案内部材に挟着保持された光コネクタアダプタに対して保持部材に保持された光コネクタを接近させて接続状態ならびに離間させて非接続状態位置となるように案内溝の長さ範囲を移動し得るよう構成させたことを特徴とする光コネクタの接続構造。
【００８４】
（付記３）  光コネクタアダプタを挟着保持する案内部材と、光コネクタを着脱可能に保持する保持部材と、からなる保持部材の両側面に軸状の突起が突出形成され、案内部材の両側壁に保持部材の突起を収容し案内させる鉤状の案内溝が形成されてなり、
上記保持部材は案内部材に嵌まり合うことにより突起が案内溝に収容されて案内部材に挟着保持された光コネクタアダプタに対して保持部材に保持された光コネクタを接近させて接続状態ならびに離間させて非接続状態位置となるように案内溝の長さ範囲を移動し得るとともに離間位置において案内溝の鉤状部分で保持部材が案内部材の底面から離間する方向へ移動し得るよう構成させたことを特徴とする光コネクタの接続構造。
【００８５】
（付記４）  光コネクタアダプタを挟着保持する案内部材と、光コネクタを着脱可能に保持する保持部材と、からなる保持部材の両側面に軸状の突起が突出形成され、案内部材の両側壁に保持部材の突起を収容し案内させる鉤状の案内溝が形成されてなり、
上記保持部材は案内部材に嵌まり合うことにより突起が案内溝に収容されて案内部材に挟着保持された光コネクタアダプタに対して保持部材に保持された光コネクタを接近させて接続状態ならびに離間させて非接続状態位置となるように案内溝の長さ範囲を移動し得るとともに離間位置において案内溝の鉤状部分で保持部材が案内部材の底面から離間する方向へ移動し得るよう案内部材の底面と保持部材の背面との間にばね部材を介在させた構成としたことを特徴とする光コネクタの接続構造。
【００８６】
（付記５）  光コネクタアダプタを挟着保持する案内部材と光コネクタを着脱可能に保持する保持部材とからなり、上記保持部材は案内部材に嵌まり合って案内部材に挟着保持された光コネクタアダプタに対して保持部材に保持された光コネクタを接近させて接続状態ならびに離間させて非接続状態位置に移動し得るよう構成させた光コネクタの接続構造であって、
上記案内部材は光コネクタアダプタの両側面の凹面に嵌まり合う突出面を両側壁面にそなえてなり、案内部材の弾性変形によって光コネクタアダプタを両側壁面間に嵌め込ませ復元力によって突出面を凹面に嵌め合わせることによって光コネクタアダプタを挟着保持させてなることを特徴とする光コネクタの接続構造。
【００８７】
（付記６）  光コネクタアダプタを挟着保持する案内部材と光コネクタを着脱可能に保持する保持部材とからなり、上記保持部材は案内部材に嵌まり合って案内部材に挟着保持された光コネクタアダプタに対して保持部材に保持された光コネクタを接近させて接続状態ならびに離間させて非接続状態位置に移動し得るよう構成させた光コネクタの接続構造であって、
上記保持部材は光コネクタのハウジングの端部の両側を包囲して位置決め保持する第１の保持部とハウジングの両側面に接して位置決め保持する第２の保持部とをそなえてなり、第２の保持部の弾性変形によってハウジングを嵌め込ませ復元力によってハウジングを保持部材の基板部との間に保持位置決めさせるようにしてなることを特徴とする光コネクタの接続構造。
【００８８】
（付記７）  光コネクタアダプタを挟着保持する案内部材と光コネクタを着脱可能に保持する保持部材とからなり、上記保持部材は案内部材に嵌まり合って案内部材に挟着保持された光コネクタアダプタに対して保持部材に保持された光コネクタを接近させて接続状態ならびに離間させて非接続状態位置に移動し得るよう構成させ、上記保持部材は光コネクタのハウジングの端部の両側を包囲して位置決め保持する第１の保持部材とハウジングの両側面に接して位置決め保持する第２の保持部とをそなえ、第２の保持部の弾性変形によってハウジングを嵌め込ませ復元力によってハウジングを保持部材の基板部との間に保持位置決めさせるようにしてなる光コネクタの接続構造の保持部材の移動用具であって、
ハウジング両側を包囲する第１の保持部を保持部材の移動方向に対する両側に接する突起をそなえ、該突起によって第１の保持部を移動方向に移動させることにより保持部材が移動されることを特徴とする保持部材の移動用具。
【００８９】
【発明の効果】
以上、詳細に説明のように本発明の光コネクタの接続構造によれば、光コネクタアダプタを挟着保持する案内部材と光コネクタを着脱可能に保持する保持部材とからなり、保持部材は案内部材に嵌まり合って案内部材に挟着保持された光コネクタアダプタに対して保持部材に保持された光コネクタを接近させて接続状態ならびに離間させて非接続状態位置に移動しえるように構成させたことを基本とすることによって、複数の光コネクタアダプタを密接状態に並列配置させた状態でも光コネクタの接続ならびに取り外しが容易に行なえるものである。
【００９０】
保持部材の両側面に軸状の突起を設け案内部材の両側壁面に保持部材の突起を収容し案内させる鉤状の案内溝を形成させることにより、保持部材の突起は案内部材の案内溝に案内され案内溝の長さ範囲を移動し得るとともに離間位置において案内溝の鉤状部分で保持部材が案内部材の底面から離間する方向へ移動し得るので案内部材側からの光放射が保持部材によって遮蔽されるといった格別な効果を奏するものともなる。
【００９１】
以上のように本発明によれば、各種光装置に適用してその実用上の効果はきわめて顕著なものである。
【図面の簡単な説明】
【図１】本発明案内部材の三面図である。
【図２】本発明保持部材の三面図である。
【図３】図２の矢視Ａ−Ａ断面図である。
【図４】案内部材に光コネクタアダプタを取り付ける説明図である。
【図５】保持部材に光コネクタを取り付ける説明図である。
【図６】本発明ばね部材の正面図と側面図である。
【図７】ばね部材の作用説明図である。
【図８】保持部材が案内部材に収容された状態の三面図である。
【図９】図８の状態に光コネクタアダプタと光コネクタとを取り付けた状態である。
【図１０】図９の状態の保持部材に光コネクタを取り付け保持させた状態である。
【図１１】図１０の状態から光コネクタを光コネクタアダプタに対向させた状態である。
【図１２】保持部材を移動させて光コネクタどうしを光接続させた状態である。
【図１３】本発明移動用具の三面図である。
【図１４】移動用具の使用方法の説明図である。
【図１５】光コネクタアダプタを光装置などへの取り付け説明図である。
【図１６】本発明光コネクタの接続構造を光装置に適用した状態（その１）である。
【図１７】本発明光コネクタの接続構造を光装置に適用した状態（その２）である。
【図１８】光コネクタの平面視外観図である。
【図１９】図１８の正面図と要部断面の平面図である。
【図２０】光コネクタアダプタの平面視断面図と側面図である。
【図２１】光コネクタアダプタの一方に光コネクタを挿入させた状態である。
【図２２】光コネクタアダプタの両側に一対の光コネクタを挿入し光接続させた状態の断面図である。
【図２３】図２２の外観図である。
【図２４】光コネクタアダプタを装置などへの取り付け説明図である。
【図２５】従来の光コネクタアダプタの光装置への取り付け状態である。
【図２６】従来の光コネクタアダプタの光装置プリント配線板への取り付け状態である。
【符号の説明】
１    光ファイバコード
２    保護カバー
３    光コネクタ
４    外部ハウジング
５    凹凸条
６    端面
７    斜面
８    マーク
９    キー
１１    フェルール
１２    凹部
１３    係止突起
１４    内部ハウジング
１５    凹穴
１６    光ファイバ芯線
２１    光コネクタアダプタ
２２    ハウジング
２３    フランジ
２４    キー溝
２５    凹溝
２６    方形の凹面
２７    板ばね
２８    方形の面板
２９    帯状部
３１    先端部
３３    ガイド面
３４    ホルダ
３５    円筒部
３６    係止片
３７    係止爪
３８    円筒ばね
３９    スリット
４１    板
４２    方形の孔
４３    段差部分
４５    モジュール筐体
４６    取り付け面
４７    二連型の光コネクタアダプタ
５１    プリント配線板
５２    取り付け金具板
５３    正面板
５４    コネクタ
５５    案内部材
５６    側壁
５７    底面
５８    案内溝
５９    鉤状の案内溝
６１    方形の突出面
６２    切り欠き段差
６３    段差
６４    凹溝
６５    左右方向の凹溝
６６    突起
６７    円形の突起
７１    保持部材
７２    基板部
７３    段差
７４    第１の保持部
７５    第２の保持部
７６    鉤状の段差
７７    テーパ状の傾斜面
７８    段差
７９    傾斜面
８１    曲面
８２    軸状の突起
８５    ばね部材
８６    切り欠き部
８７    貫通孔
８８    彎曲部
９１    移動用具
９２    横溝
９３    縦溝
９４    突起
９５    矢印
９６    凹曲面
１０１    板
１０２    方形の孔
１０３    櫛歯状の板
１０４    櫛歯部分
１０５    モジュール筐体
１０６    取り付け面
１１１    プリント配線板
１１２    取り付け金具板
１１３    正面板
１１４    コネクタ
【図１】
0003767408.tif 000002
【図２】
0003767408.tif 000003
【図３】
0003767408.tif 000004
【図４】
0003767408.tif 000005
【図５】
0003767408.tif 000006
【図６】
0003767408.tif 000007
【図７】
0003767408.tif 000008
【図８】
0003767408.tif 000009
【図９】
0003767408.tif 000010
【図１０】
0003767408.tif 000011
【図１１】
0003767408.tif 000012
【図１２】
0003767408.tif 000013
【図１３】
0003767408.tif 000014
【図１４】
0003767408.tif 000015
【図１５】
0003767408.tif 000016
【図１６】
0003767408.tif 000017
【図１７】
0003767408.tif 000018
【図１８】
0003767408.tif 000019
【図１９】
0003767408.tif 000020
【図２０】
0003767408.tif 000021
【図２１】
0003767408.tif 000022
【図２２】
0003767408.tif 000023
【図２３】
0003767408.tif 000024
【図２４】
0003767408.tif 000025
【図２５】
0003767408.tif 000026
【図２６】
0003767408.tif 000027